(57)【特許請求の範囲】
【請求項１】
（ａ）画像情報を受信して画像を形成する画像形成装置であって、
（ｂ）上位装置から画像情報を受信する受信部と、
（ｃ）該受信部を受信可能状態と受信不可状態とに切り替える制御部と、
（ｄ）前記画像形成装置に電力を供給する電力供給部と、
（ｅ）該電力供給部の電力供給を制御する電力制御部と、
（ｆ）受信可能状態と受信不可状態とを切り替えるためのオンラインキー、電力供給オン又は電力供給オフの設定を行うためのパワーキー、及び、表示部を備える操作部と、
（ｇ）前記画像形成装置の異常状態を検出する異常検出部と、
（ｈ）前記画像形成装置の設定情報を格納する記憶部とを有し、
（ｉ）前記異常検出部によって前記画像形成装置の異常状態が検出された場合、前記制御部は、前記受信部の状態を受信可能状態から受信不可状態に切り替え、その後、前記パワーキーの押下がなされた場合、前記制御部は、前記記憶部に格納されている電力供給についての設定が電力供給オンであるか電力供給オフであるかを判断し、電力供給オンである場合には前記電力供給についての設定を電力供給オフにし、前記電力制御部は、前記受信部が受信不可状態であるので前記電力供給部の電力供給を切断し、
（ｊ）前記異常検出部によって前記画像形成装置の異常状態が検出されない場合、前記受信部が受信可能状態であると、前記表示部はオンラインキーの押下を促す表示を行い、前記オンラインキーの押下がなされた場合、前記受信部の状態が受信不可状態に切り替わり、前記電力制御部は、電力供給についての設定が電力供給オフであると、前記電力供給部の電力供給を切断することを特徴とする画像形成装置。
【発明の詳細な説明】
【技術分野】
【０００１】
本発明は、画像形成装置に関するものである。
【背景技術】
【０００２】
従来、プリンタ等の画像形成装置においては、ネットワーク等を介して、ホストコンピュータ等の上位装置に接続され、該上位装置から印刷データを受信して印刷を行うようになっている。この場合、画像形成装置が上位装置と通信中に操作者が画像形成装置の電源スイッチをオフにすると、上位装置から受信中の印刷データが消失してしまう。そこで、上位装置から印刷データを受信中であるとき、又は、受信した印刷データを印刷中であるときには、電源スイッチがオフにされても画像形成装置への電力供給をオフにせず、すべての印刷データを受信し、すべての印刷データの印刷を終了してから画像形成装置への電力供給をオフにする技術が提案されている（例えば、特許文献１参照。）。これにより、操作者が誤って電源スイッチをオフにしても、受信中の印刷データが消失してしまうことが防止される。
【特許文献１】特開平７−２８８９２９号公報
【発明の開示】
【発明が解決しようとする課題】
【０００３】
しかしながら、前記従来の画像形成装置においては、印刷データを受信中又は印刷データの印刷中には画像形成装置への電力供給をオフにしないようになっているので、誤操作でなく、操作者の意志によって電源スイッチをオフにした場合でも、画像形成装置への電力供給がオフにならない。そのため、例えば、印刷データを受信中又は印刷データの印刷中に画像形成装置内でエラーが発生した場合のように、画像形成装置の動作を停止させる必要がある場合であっても、すべての印刷データを受信し、すべての印刷データの印刷が終了するまで待機しなくてはならないので、画像形成装置への電力供給をオフにするまでに時間がかかってしまう。
【０００４】
本発明は、前記従来の画像形成装置の問題点を解決して、電力供給をオフにする操作がなされた場合、画像情報の受信を不可にする操作がなされると電力供給をオフにするようにして、画像情報の受信中又は画像形成中に誤操作によって電力供給がオフにされることがないとともに、必要な場合には、画像情報の受信中又は画像形成中であっても強制的に電力供給をオフにすることができ、長時間待機することなく短時間で電力供給をオフにすることができる画像形成装置を提供することを目的とする。
【課題を解決するための手段】
【０００５】
そのために、本発明の画像形成装置においては、画像情報を受信して画像を形成する画像形成装置であって、上位装置から画像情報を受信する受信部と、該受信部を受信可能状態と受信不可状態とに切り替える制御部と、前記画像形成装置に電力を供給する電力供給部と、該電力供給部の電力供給を制御する電力制御部と、受信可能状態と受信不可状態とを切り替えるためのオンラインキー、電力供給オン又は電力供給オフの設定を行うためのパワーキー、及び、表示部を備える操作部と、前記画像形成装置の異常状態を検出する異常検出部と、前記画像形成装置の設定情報を格納する記憶部とを有し、前記異常検出部によって前記画像形成装置の異常状態が検出された場合、前記制御部は、前記受信部の状態を受信可能状態から受信不可状態に切り替え、その後、前記パワーキーの押下がなされた場合、前記制御部は、前記記憶部に格納されている電力供給についての設定が電力供給オンであるか電力供給オフであるかを判断し、電力供給オンである場合には前記電力供給についての設定を電力供給オフにし、前記電力制御部は、前記受信部が受信不可状態であるので前記電力供給部の電力供給を切断し、前記異常検出部によって前記画像形成装置の異常状態が検出されない場合、前記受信部が受信可能状態であると、前記表示部はオンラインキーの押下を促す表示を行い、前記オンラインキーの押下がなされた場合、前記受信部の状態が受信不可状態に切り替わり、前記電力制御部は、電力供給についての設定が電力供給オフであると、前記電力供給部の電力供給を切断する。
【発明の効果】
【０００６】
本発明によれば、画像形成装置は、電力供給をオフにする操作がなされた場合、画像情報の受信を不可にする操作がなされると電力供給をオフにするようになっている。これにより、画像情報の受信中又は画像形成中に誤操作によって電力供給がオフにされることがないとともに、必要な場合には、画像情報の受信中又は画像形成中であっても強制的に電力供給をオフにすることができ、長時間待機することなく短時間で電力供給をオフにすることができる。
【発明を実施するための最良の形態】
【０００７】
以下、本発明の実施の形態について図面を参照しながら詳細に説明する。
【０００８】
図１は本発明の第１の実施の形態における画像形成装置の構成を示すブロック図、図２は本発明の第１の実施の形態における画像形成装置のプリンタエンジンの構成を示す図である。
【０００９】
図１において、１０は本実施の形態における画像形成装置であり、例えば、プリンタ、ファクシミリ機、複写機、各種の機能を併せ持つ複合機等であるが、いかなる種類のものであってもよい。ここでは、前記画像形成装置１０が、電子写真方式によって画像を形成する電子写真式プリンタであるものとして説明する。なお、前記画像形成装置１０は、カラー画像を形成する装置であってもよいが、本実施の形態においては、説明の都合上、モノクロ画像を形成する装置であるものとする。
【００１０】
そして、前記画像形成装置１０は、ＬＡＮ（Ｌｏｃａｌ  Ａｒｅａ  Ｎｅｔｗｏｒｋ）等の図示されない通信回線を介して、上位装置としてのコンピュータ１１に接続され、該コンピュータ１１から印刷データとしての画像情報を受信し、該画像情報を用紙等の記録媒体に印刷する。なお、前記コンピュータ１１は、例えば、ＣＰＵ、ＭＰＵ等の演算手段、磁気ディスク、半導体メモリ等の記憶手段、通信インターフェイス等を備える一般的なパーソナルコンピュータであるが、画像形成装置１０で記録媒体に印刷するための画像情報を作成する機能、及び、前記画像情報を画像形成装置１０に送信する機能を有する装置であれば、いかなる種類のものであってもよい。
【００１１】
ここで、前記画像形成装置１０は、図１に示されるように、受信部１２、制御部１３、操作部としての操作・表示部１４、画像形成部１５、電力制御部１６及び電力供給部１７を有する。
【００１２】
前記受信部１２は、コンピュータ１１からの画像情報の受信を行う部分であり、画像情報を受信可能とする受信可能状態、及び、画像情報を受信不可能にする受信不可状態の二つの状態を取ることができる。
【００１３】
また、前記制御部１３は、画像形成装置１０の各部の動作を統括的に制御する部分である。そして、受信部１２を制御し、受信可能状態と受信不可状態との切り替えを制御をする。なお、受信可能状態と受信不可状態との切り替えは、画像形成装置１０の操作者が操作・表示部１４を操作することによって設定することも可能である。
【００１４】
さらに、前記画像形成部１５は、制御部１３の制御に基づき、コンピュータ１１から受信した画像情報に基づいて画像形成をする部分であり、電子写真方式によって画像を形成するプリンタエンジン４５を備える。なお、前記制御部１３は、受信部１２がコンピュータ１１から受信した画像情報を画像形成部１５に転送する。
【００１５】
そして、前記電力制御部１６は、電力供給部１７を制御し、画像形成装置１０の各部に電力を供給する電力供給オンの状態、及び、画像形成装置１０の各部への電力の供給を切断する電力供給オフの状態に切り替えさせる部分である。なお、前記電力供給部１７は、電力制御部１６の制御に基づいて画像形成装置１０の各部に電力を供給する部分である。また、電力供給オン及び電力供給オフの設定は、画像形成装置１０の操作者が操作・表示部１４を操作することによって設定することが可能である。本実施の形態においては、電力供給オン状態又は電力供給オフ状態か、及び、受信可能状態又は受信不可状態かに基づいて、画像形成装置１０の各部に電力を供給するか切断するかの制御を行うようになっている。
【００１６】
ここで、前記プリンタエンジン４５は、図２に示されるように、感光体ドラム７１、帯電部７２、露光部７３、現像部７４、転写部７５、定着部７６、レジストローラ７７、ホッピングローラ７８及び用紙カセット７９を有する。
【００１７】
そして、該用紙カセット７９内に積層されてセットされた記録媒体としての用紙は、ホッピングローラ７８によって１枚ずつ分離された状態で給紙され、レジストローラ７７に送り込まれる。続いて、用紙は、レジストローラ７７によって所定のタイミングで送り出され、感光体ドラム７１上に形成されたトナー像が転写部７５によって転写される。そして、用紙が定着部７６に送り込まれると、該定着部７６が備える加熱ローラ等によって定着プロセスが行われ、加熱及び加圧されたトナー像が溶融して用紙上に定着される。続いて、トナー像が定着された用紙は、画像形成装置１０の外部に排出される。
【００１８】
前記感光体ドラム７１は、所定の回転速度で回転可能な像担持体であり、例えば、アルミ等のドラム形状の導体の表面に光導電層が形成された部材であって、表面に電荷を蓄えること及び表面の電荷を除去することができる。また、前記帯電部７２は、感光体ドラム７１の表面を均一に帯電させるための装置であり、前記感光体ドラム７１の表面に所定の電圧を印加する。
【００１９】
さらに、前記露光部７３は、一様に帯電された感光体ドラム７１の表面を選択的に露光し潜像パターンを形成するための露光装置であり、例えば、ＬＥＤ（Ｌｉｇｈｔ  Ｅｍｉｔｔｉｎｇ  Ｄｉｏｄｅ）素子とＬＥＤ駆動素子とレンズアレイとから成り、ＬＥＤ素子からの照射光が感光体ドラム７１の表面に結像する位置に配設されている。また、前記現像部７４は、例えば、現像剤担持体としての現像ローラであり、感光体ドラム７１に一定の圧力で接触し、露光部７３によって感光体ドラム７１上に形成された静電潜像をトナーで現像する。さらに、前記転写部７５は、用紙の搬送経路を挟んで感光体ドラム７１と対向するように配設され、該感光体ドラム７１上に形成されたトナー像を静電的に用紙に転写する。
【００２０】
次に、前記画像形成装置１０の制御系の構成について説明する。
【００２１】
図３は本発明の第１の実施の形態における画像形成装置の制御系の構成を示す図、図４は本発明の第１の実施の形態における画像形成装置の操作パネル部の構成を示す図である。
【００２２】
図に示されるように、画像形成装置１０は、信号伝送回路としてのアドレス／データバス２１と、前記受信部１２に相当するホストインターフェイス部２２と、前記制御部１３に相当するＣＰＵ２３、プログラム用ＲＯＭ３３、画像データ蓄積用メモリ４３及び装置設定情報格納用メモリ５３と、前記操作・表示部１４に相当する操作パネル部２４及び操作パネルインターフェイス部３４と、前記画像形成部１５に相当するプリンタエンジンインターフェイス部２５、プリンタエンジン制御部３５及びプリンタエンジン４５と、前記電力制御部１６に相当する電源制御部２６と、前記電力供給部１７に相当する電源部２７とを有する。
【００２３】
そして、画像形成装置１０全体のシステム制御、印刷データの流れの管理等の総括コントロールは、ＣＰＵ２３で行われる。なお、該ＣＰＵ２３の制御プログラムデータは、プログラム用ＲＯＭ３３内に格納されている。また、画像データ蓄積用メモリ４３は、コンピュータ１１から受信した画像情報、すなわち、印刷データを格納するためのメモリである。さらに、装置設定情報格納用メモリ５３は、画像形成装置１０の動作に関する情報を格納するためのメモリである。そして、前記ＣＰＵ２３は、アドレス／データバス２１を介して、プログラム用ＲＯＭ３３、画像データ蓄積用メモリ４３及び装置設定情報格納用メモリ５３にアクセスし、必要な情報の読み出し及び格納をする。なお、本実施の形態においては、前述した電力供給オン及び電力供給オフの設定、受信可能状態と受信不可状態の設定等、各種の設定は、装置設定情報格納用メモリ５３に格納されるものとする。
【００２４】
また、前記ＣＰＵ２３は、ホストインターフェイス部２２を介してホスト、すなわち、上位装置として機能するコンピュータ１１との通信処理が可能となっている。なお、ホストインターフェイス部２２は、ＵＳＢ（Ｕｎｉｖｅｒｓａｌ  Ｓｅｒｉａｌ  Ｂｕｓ）２．０、ＩＥＥＥ１２８４、ＩＥＥＥ１３９４、イーサネット（Ｒ）等の規格に適合したインターフェイスであり、前記規格に則ってコンピュータ１１から印刷データを受信する。
【００２５】
ここで、受信可能状態とは、ホストインターフェイス部２２がコンピュータ１１との接続を可能としている状態であり、前記ホストインターフェイス部２２を介して、画像形成装置１０とコンピュータ１１との通信が可能な状態である。一方、受信不可状態とは、ホストインターフェイス部２２がコンピュータ１１との接続を遮断している状態であり、画像形成装置１０とコンピュータ１１との通信が不可能な状態である。
【００２６】
また、前記操作パネル部２４は、画像形成装置１０と操作者との間におけるマンマシンインターフェイスの機能を果たし、ＬＣＤ（Ｌｉｑｕｉｄ  Ｃｒｙｓｔａｌ  Ｄｉｓｐｌａｙ）表示部４４及び操作キー部５４を備える。図４に示されるように、前記ＬＣＤ表示部４４は、操作者が入力する情報、画像形成装置１０内部の制御状態等を表示するディスプレイであり、前記操作キー部５４は操作者が所望する制御内容等を入力するキーボードスイッチである。なお、前記操作キー部５４は、受信可能状態と受信不可状態とを切り替えるための入力手段としてのオンラインキー、並びに、電力供給オン及び電力供給オフの設定を行うためのパワーキーを備えている。また、操作パネルインターフェイス部３４は、アドレス／データバス２１と操作パネル部２４との間に配置され、信号の送受信を行うインターフェイス回路である。
【００２７】
さらに、前記電源部２７は、画像形成装置１０の各部に電力を供給する部分であり、画像形成装置１０の各部に電力を供給する電力供給オンの状態、及び、画像形成装置１０の各部への電力の供給を切断する電力供給オフの状態に切り替え可能になっている。
【００２８】
そして、前記電源制御部２６は、ＣＰＵ２３の指示に従って、電源部２７を制御し、電力供給オンの状態と電力供給オフの状態との切り替えを行う。
【００２９】
また、前記プリンタエンジンインターフェイス部２５は、ＣＰＵ２３の指示に従って、印刷データをプリンタエンジン制御部３５に転送したり、制御信号の送受信を行ったりするインターフェイス回路である。そして、前記プリンタエンジン４５は、印刷データに基づいて、用紙に印刷を行う。さらに、前記プリンタエンジン制御部３５は、プリンタエンジン４５が備える図示されないモータ、各種センサ等の制御を行う。
【００３０】
そして、コンピュータ１１に接続されているホストインタフェース部２２が前記コンピュータ１１から印刷データを受信すると割り込み信号が発生する。すると、ＣＰＵ２３は、割り込み処理内で印刷データの受信を認識し、受信した印刷データをホストインターフェイス部２２から、アドレス／データバス２１を介して、画像データ蓄積用メモリ４３へ送信させて蓄積させる。そして、該画像データ蓄積用メモリ４３を印刷バッファとして使用し、前記アドレス／データバス２１を介して、印刷データをプリンタエンジンインターフェイス部２５に送信させる。すると、該プリンタエンジンインターフェイス部２５は、受信した印刷データをプリンタエンジン制御部３５に送信する。そして、該プリンタエンジン制御部３５は、プリンタエンジン４５を制御し、前記印刷データを再生して用紙に印刷する。
【００３１】
次に、前記構成の画像形成装置１０の動作について説明する。
【００３２】
図５は本発明の第１の実施の形態における画像形成装置の動作を示すタイムチャート、図６は本発明の第１の実施の形態における画像形成装置の動作を示すフローチャートである。
【００３３】
まず、画像形成装置１０が電源オンとなると、電源部２７は画像形成装置１０の各部に電力を供給する。
【００３４】
続いて、ＣＰＵ２３は初期設定を行い、図示されない周辺ＬＳＩ（Ｌａｒｇｅ  Ｓｃａｌｅ  Ｉｎｔｅｇｒａｔｅｄ  Ｃｉｒｃｕｉｔ）の各々の初期設定、及び、プログラム用ＲＯＭ３３、画像データ蓄積用メモリ４３、装置設定情報格納用メモリ５３等の各メモリの初期化を行う。また、前記ＣＰＵ２３は、プリンタエンジンインターフェイス部２５を介し、プリンタエンジン制御部３５に印刷準備を指示する。すると、該プリンタエンジン制御部３５がプリンタエンジン４５に対して印刷準備制御を行い、これにより、画像形成装置１０は待機状態となる。
【００３５】
続いて、前記ＣＰＵ２３は、受信可能状態への移行制御を行い、ホストインターフェイス部２２を介して、コンピュータ１１との通信を可能とする。これにより、画像形成装置１０は受信可能状態となる。
【００３６】
続いて、前記ＣＰＵ２３は、操作パネルインターフェイス部３４を介して操作キー部５４を監視し、電源部２７が画像形成装置１０の各部に電力を供給中に、操作者によって操作キー部５４のパワーキーの押下がなされたか否かを判断する。
【００３７】
そして、パワーキーの押下がなされた場合、前記ＣＰＵ２３は、装置設定情報格納用メモリ５３内に格納されている電力供給についての設定が電力供給オフの設定であるか否かを判断する。ここで、電力供給オフの設定でない場合、すなわち、電力供給オンの設定である場合、前記ＣＰＵ２３は、電力供給オフの設定を行い、該設定を装置設定情報格納用メモリ５３内に格納する。
【００３８】
続いて、前記ＣＰＵ２３は、ホストインターフェイス部２２がコンピュータ１１との接続を可能としている状態であるか否か、すなわち、受信部１２が受信可能状態であるか否かを判断する。そして、受信可能状態である場合、前記ＣＰＵ２３は、操作パネルインターフェイス部３４を介して、図４に示されるように、操作パネル部２４のＬＣＤ表示部４４に「電源をオフする場合はオンラインキーを押下すること」等の表示を行わせ、操作者に次の操作方法を報知する（図５における時点Ｔ１）。
【００３９】
なお、前述のように、パワーキーの押下がなされたか否かを判断してパワーキーの押下がなされていない場合、前記ＣＰＵ２３は、そのまま、操作パネル部２４のＬＣＤ表示部４４に「電源をオフする場合はオンラインキーを押下すること」等の表示を行わせる。また、電力供給オフの設定であるか否かを判断して電力供給オフの設定である場合、前記ＣＰＵ２３は、電力供給オンの設定を行い、該設定を装置設定情報格納用メモリ５３内に格納した後、操作パネル部２４のＬＣＤ表示部４４に「電源をオフする場合はオンラインキーを押下すること」等の表示を行わせる。
【００４０】
続いて、前記ＣＰＵ２３は、操作パネルインターフェイス部３４を介して操作キー部５４を監視し、操作者によって操作キー部５４のオンラインキーの押下がなされたか否かを判断する。そして、オンラインキーの押下がなされていない場合、前記ＣＰＵ２３は、再び、パワーキーの押下がなされたか否かを判断し、以降の動作を繰り返す。また、オンラインキーの押下がなされた場合（図５における時点Ｔ２）、前記ＣＰＵ２３は、コンピュータ１１から印刷データを受信中であるか否か、すなわち、データ受信中であるか否かを判断する。
【００４１】
そして、データ受信中である場合、前記ＣＰＵ２３は、データ受信切断処理を行い（図５における時点Ｔ３）、ホストインターフェイス部２２を制御してコンピュータ１１からの印刷データの受信を停止させる。続いて、前記ＣＰＵ２３は、受信不可状態への移行制御を行い（図５における時点Ｔ４）、ホストインターフェイス部２２を制御し、コンピュータ１１との通信が不可能な受信不可状態に設定する。なお、前述のようにデータ受信中であるか否かを判断してデータ受信中でない場合、前記ＣＰＵ２３は、そのまま、受信不可状態への移行制御を行う。
【００４２】
続いて、前記ＣＰＵ２３は、装置設定情報格納用メモリ５３内に格納されている電力供給についての設定が電力供給オフの設定であるか否かを判断する。そして、電力供給オフの設定でない場合、すなわち、電力供給オンの設定である場合、前記ＣＰＵ２３は、再び、パワーキーの押下がなされたか否かを判断し、以降の動作を繰り返す。
【００４３】
また、電力供給オフの設定である場合、前記ＣＰＵ２３は、印刷中であるか否かを判断する。なお、前述のように、受信部１２が受信可能状態であるか否かを判断して受信可能状態でない場合、前記ＣＰＵ２３は、そのまま、印刷中であるか否かを判断する。
【００４４】
そして、印刷中である場合、前記ＣＰＵ２３は印刷停止処理を行う（図６における時点Ｔ５）。該印刷停止処理において、前記ＣＰＵ２３は、プリンタエンジンインターフェイス部２５を介し、プリンタエンジン制御部３５に印刷停止を指示する。すると、該プリンタエンジン制御部３５は、プリンタエンジン４５を制御し、現在印刷中のページを印刷した後、印刷を停止させる。
【００４５】
続いて、前記ＣＰＵ２３は、電源切断処理を行い、画像形成装置１０を電源オフの状態として停止させる（図６における時点Ｔ６）。なお、前述のように印刷中であるか否かを判断して印刷中でない場合、前記ＣＰＵ２３は、そのまま、電源切断処理を行う。該電源切断処理において、前記ＣＰＵ２３は、電源制御部２６に電力供給をオフにするよう指示する。すると、前記電源制御部２６は、電源部２７を制御し、画像形成装置１０の各部への電力の供給を切断する電力供給オフの状態への切り替えを行う。これにより、前記電源部２７が画像形成装置１０の各部への電力の供給を切断し、画像形成装置１０が電源オフとなる。
【００４６】
次に、フローチャートについて説明する。
ステップＳ１  電源オンとなる。
ステップＳ２  初期設定を行う。
ステップＳ３  受信可能状態への移行制御を行う。
ステップＳ４  パワーキーの押下がなされたか否かを判断する。パワーキーの押下がなされた場合はステップＳ５に進み、パワーキーの押下がなされていない場合はステップＳ９に進む。
ステップＳ５  電力供給オフの設定であるか否かを判断する。電力供給オフの設定である場合はステップＳ７に進み、電力供給オフの設定でない場合はステップＳ６に進む。
ステップＳ６  電力供給オフの設定を行う。
ステップＳ７  電力供給オンの設定を行う。
ステップＳ８  受信部１２が受信可能状態であるか否かを判断する。受信部１２が受信可能状態である場合はステップＳ９に進み、受信部１２が受信可能状態でない場合はステップＳ１４に進む。
ステップＳ９  オンラインキーの押下がなされたか否かを判断する。オンラインキーの押下がなされた場合はステップＳ１０に進み、オンラインキーの押下がなされていない場合はステップＳ４に戻る。
ステップＳ１０  データ受信中であるか否かを判断する。データ受信中である場合はステップＳ１１に進み、データ受信中でない場合はステップＳ１２に進む。
ステップＳ１１  データ受信切断処理を行う。
ステップＳ１２  受信不可状態への移行制御を行う。
ステップＳ１３  電力供給オフの設定であるか否かを判断する。電力供給オフの設定である場合はステップＳ１４に進み、電力供給オフの設定でない場合はステップＳ４に戻る。
ステップＳ１４  印刷中であるか否かを判断する。印刷中である場合はステップＳ１５に進み、印刷中でない場合はステップＳ１６に進む。
ステップＳ１５  印刷停止処理を行う。
ステップＳ１６  電源切断処理を行い、処理を終了する。
【００４７】
このように、本実施の形態においては、受信部１２が受信可能状態である場合には、パワーキーの押下がなされても、すなわち、電力供給をオフにする操作がなされても電力供給をオフにしないので、印刷データの受信中又は印刷データの印刷中における操作者の誤操作による画像形成装置１０の電力供給オフを防止することができる。しかも、電力供給をオフにする操作に加えて、オンラインキーの押下がなされると、すなわち、印刷データの受信を不可にする操作がなされると電力供給をオフにするようになっているので、操作者が強制的に画像形成装置１０の電力供給をオフにしたい場合には、印刷データの受信が終了したり、すべての印刷データの印刷処理が終了するまで長時間待機することなく、短時間で画像形成装置１０の電力供給をオフにすることができる。
【００４８】
次に、本発明の第２の実施の形態について説明する。なお、第１の実施の形態と同じ構造を有するものについては、同じ符号を付与することによって、その説明を省略する。また、前記第１の実施の形態と同じ動作及び同じ効果についても、その説明を省略する。
【００４９】
図７は本発明の第２の実施の形態における画像形成装置の構成を示すブロック図である。
【００５０】
本実施の形態においては、制御部１３が異常検出部３１をその内部に備える。該異常検出部３１は、画像形成装置１０の異常状態を検出すると、前記制御部１３に対し、受信可能状態から受信不可状態に切り替えるように指示する。なお、前記制御部１３にはＣＰＵ２３が相当するので、前記異常検出部３１の動作もＣＰＵ２３が実行する。
【００５１】
また、その他の点の構成については、前記第１の実施の形態と同様であるので、その説明を省略する。
【００５２】
次に、本実施の形態における画像形成装置１０の動作について説明する。
【００５３】
図８は本発明の第２の実施の形態における画像形成装置の動作を示すフローチャートである。
【００５４】
なお、画像形成装置１０が電源オンとなってから、受信不可状態へ移行する装置アラームが発生したか否かをＣＰＵ２３が判断するまでの動作については、前記第１の実施の形態と同様であるので、その説明を省略する。
【００５５】
前記ＣＰＵ２３は、受信可能状態から受信不可状態に切り替える必要があるような画像形成装置１０の異常状態を検出したか否か、すなわち、受信不可状態へ移行する装置アラームが発生したか否かを判断する。
【００５６】
ここで、受信不可状態に切り替える必要があるような画像形成装置１０の異常状態を検出した場合とは、例えば、画像データ蓄積用メモリ４３がエラーとなったこと又はメモリフルとなったことをＣＰＵ２３が検出した場合、プリンタエンジン制御部３５から、印刷不能となるエラー発生通知をＣＰＵ２３が受信した場合等である。
【００５７】
そして、受信不可状態へ移行する装置アラームが発生したか否かを判断して装置アラームが発生していなかった場合、前記ＣＰＵ２３は、前述のオンラインキーの押下がなされたか否かを判断する動作を行う。
【００５８】
また、受信不可状態へ移行する装置アラームが発生したか否かを判断して装置アラームが発生した場合、前記ＣＰＵ２３は、前述のオンラインキーの押下がなされていない場合と同様の動作を行う。
【００５９】
なお、以降の動作については、前記第１の実施の形態と同様であるので、その説明を省略する。
【００６０】
次に、フローチャートについて説明する。
ステップＳ２１  電源オンとなる。
ステップＳ２２  初期設定を行う。
ステップＳ２３  受信可能状態への移行制御を行う。
ステップＳ２４  パワーキーの押下がなされたか否かを判断する。パワーキーの押下がなされた場合はステップＳ２５に進み、パワーキーの押下がなされていない場合はステップＳ２９に進む。
ステップＳ２５  電力供給オフの設定であるか否かを判断する。電力供給オフの設定である場合はステップＳ２７に進み、電力供給オフの設定でない場合はステップＳ２６に進む。
ステップＳ２６  電力供給オフの設定を行う。
ステップＳ２７  電力供給オンの設定を行う。
ステップＳ２８  受信部１２が受信可能状態であるか否かを判断する。受信部１２が受信可能状態である場合はステップＳ２９に進み、受信部１２が受信可能状態でない場合はステップＳ３５に進む。
ステップＳ２９  受信不可状態へ移行する装置アラームが発生したか否かを判断する。受信不可状態へ移行する装置アラームが発生していない場合はステップＳ３０に進み、受信不可状態へ移行する装置アラームが発生した場合はステップＳ２４に戻る。
ステップＳ３０  オンラインキーの押下がなされたか否かを判断する。オンラインキーの押下がなされた場合はステップＳ３１に進み、オンラインキーの押下がなされていない場合はステップＳ２４に戻る。
ステップＳ３１  データ受信中であるか否かを判断する。データ受信中である場合はステップＳ３２に進み、データ受信中でない場合はステップＳ３３に進む。
ステップＳ３２  データ受信切断処理を行う。
ステップＳ３３  受信不可状態への移行制御を行う。
ステップＳ３４  電力供給オフの設定であるか否かを判断する。電力供給オフの設定である場合はステップＳ３５に進み、電力供給オフの設定でない場合はステップＳ２４に戻る。
ステップＳ３５  印刷中であるか否かを判断する。印刷中である場合はステップＳ３６に進み、印刷中でない場合はステップＳ３７に進む。
ステップＳ３６  印刷停止処理を行う。
ステップＳ３７  電源切断処理を行い、処理を終了する。
【００６１】
このように、本実施の形態においては、画像形成装置１０に、コンピュータ１１から印刷データを受信することができないような異常状態、電力供給をオフにしなければ復旧しないような異常状態等が発生した場合、すみやかに、画像形成装置１０の電力供給をオフにすることができる。
【００６２】
なお、以上説明した前記第１及び第２の実施の形態は、本発明のための例示にすぎないものであり、本発明は、図３に示されるような構成の画像形成装置１０に限らず、多種のプリンタ装置にて実施することが可能であり、ファクシミリ機、複写機、複合機、他の種類の周辺機器等にも適用することができる。
【００６３】
また、本発明は前記実施の形態に限定されるものではなく、本発明の趣旨に基づいて種々変形させることが可能であり、それらを本発明の範囲から排除するものではない。
【図面の簡単な説明】
【００６４】
【図１】本発明の第１の実施の形態における画像形成装置の構成を示すブロック図である。
【図２】本発明の第１の実施の形態における画像形成装置のプリンタエンジンの構成を示す図である。
【図３】本発明の第１の実施の形態における画像形成装置の制御系の構成を示す図である。
【図４】本発明の第１の実施の形態における画像形成装置の操作パネル部の構成を示す図である。
【図５】本発明の第１の実施の形態における画像形成装置の動作を示すタイムチャートである。
【図６】本発明の第１の実施の形態における画像形成装置の動作を示すフローチャートである。
【図７】本発明の第２の実施の形態における画像形成装置の構成を示すブロック図である。
【図８】本発明の第２の実施の形態における画像形成装置の動作を示すフローチャートである。
【符号の説明】
【００６５】
１０    画像形成装置
１１    コンピュータ
１２    受信部
１３    制御部
１４    操作・表示部
１６    電力制御部
１７    電力供給部
３１    異常検出部
【図１】
0004914328.tif 000002
【図２】
0004914328.tif 000003
【図３】
0004914328.tif 000004
【図４】
0004914328.tif 000005
【図５】
0004914328.tif 000006
【図６】
0004914328.tif 000007
【図７】
0004914328.tif 000008
【図８】
0004914328.tif 000009